(57)【要約】【課題】内線端末の回線キーに対応する他ノードの内線の状態表示、他ノードの内線へのダイレクト着信、着信転送等の付加的なサービスを、信号伝送路の負荷を極力軽減して効率良く実現できるようにする。【解決手段】一定時間ごとにボタン電話主装置ＢＴ１からボタン電話主装置ＢＴ２に対し、内線端末Ｔ２１〜Ｔ２ｍの状態情報の取得要求つまりＤＳＳＲパケットをＬＡＮ１を介して送信する。そして、ボタン電話主装置ＢＴ１において、ＤＳＳＲパケットの送信に対しボタン電話主装置ＢＴ２からＬＡＮ１を介して送られたＤＳＳＡパケット、ＤＳＳＮパケットに基づき、ノード情報管理テーブル中の内線端末Ｔ２１〜Ｔ２ｍに該当する状態情報の登録内容を更新する。【選択図】    図１
2004274391.tif 000002
【特許請求の範囲】
【請求項１】
終端に内線端末を接続できる少なくとも１つの内線を収容する２以上の電話交換装置と
前記複数の電話交換装置間を接続し、リアルタイム性が要求される第１の信号を伝送する第１の信号伝送路と、
この第１の信号伝送路とは独立して前記複数の電話交換装置間を接続し、前記第１の信号に比べてリアルタイム性が要求されない第２の信号を伝送する第２の信号伝送路とを具備し、
前記複数の電話交換装置の各々は、
自装置に収容される全内線端末のうち少なくとも一部を指定する複数の操作キー及びこれら操作キーそれぞれに対応する内線端末の動作状態を示す第１の状態情報、及び他装置に収容される全内線端末のうち少なくとも一部を指定する操作キー及びこれら操作キーそれぞれに対応する内線端末の動作状態を示す第２の状態情報を記録媒体に記憶する記憶手段と、
自装置に収容される全内線端末の動作状態変化を検出する状態変化検出手段と、
この状態変化検出手段による検出結果に基づいて、前記記録媒体中の前記第１の状態情報の記憶内容を更新する第１の更新手段と、
所定時間ごとに他の複数の電話交換装置に対し前記第２の状態情報の取得要求を前記第２の信号として前記第２の信号伝送路を介して送信する取得要求送出手段と、
前記取得要求の送出に対し他の電話交換装置から前記第２の信号伝送路を介して送られた第２の状態情報を受信する受信手段と、
この受信手段による受信結果に基づいて、前記記録媒体中の前記第２の状態情報の記憶内容を更新する第２の更新手段とを備えたことを特徴とする交換ネットワークシステム。
【請求項２】
前記取得要求送出手段は、各電話交換装置ごとに異なる送信タイミングで前記取得要求を第２の信号として前記第２の信号伝送路を介して送信することを特徴とする請求項１記載の交換ネットワークシステム。
【請求項３】
前記第２の信号伝送路を伝送する第２の信号は、ＵＤＰ（Ｕｓｅｒ  Ｄａｔａｇｒａｍ  Ｐｒｏｔｏｃｏｌ）で規定される信号であることを特徴とする請求項１記載の交換ネットワークシステム。
【請求項４】
前記第１の信号伝送路は、音声信号を伝送するデジタル専用線であり、
前記第２の信号伝送路は、制御信号を伝送するローカルエリア・ネットワークであることを特徴とする請求項１記載の交換ネットワークシステム。
【請求項５】
前記請求項１に記載の交換ネットワークシステムで使用される電話交換装置であって、
自装置に収容される全内線端末のうち少なくとも一部を指定する複数の操作キー及びこれら操作キーそれぞれに対応する内線端末の動作状態を示す第１の状態情報、及び他装置に収容される全内線端末のうち少なくとも一部を指定する操作キー及びこれら操作キーそれぞれに対応する内線端末の動作状態を示す第２の状態情報を記録媒体に記憶する記憶手段と、
自装置に収容される全内線端末の動作状態変化を検出する状態変化検出手段と、
この状態変化検出手段による検出結果に基づいて、前記記録媒体中の前記第１の状態情報の記憶内容を更新する第１の更新手段と、
所定時間ごとに他の複数の電話交換装置に対し前記第２の状態情報の取得要求を前記第２の信号として前記第２の信号伝送路を介して送信する取得要求送出手段と、
前記取得要求の送出に対し他の電話交換装置から前記第２の信号伝送路を介して送られた第２の状態情報を受信する受信手段と、
この受信手段による受信結果に基づいて、前記記録媒体中の前記第２の状態情報の記憶内容を更新する第２の更新手段とを具備したことを特徴とする電話交換装置。
【発明の詳細な説明】
【０００１】
【発明の属する技術分野】
この発明は、例えばデジタル専用線を介して複数の電話交換装置間を接続し、これら電話交換装置間で交換サービスに係わる処理を実行する交換ネットワークシステム及びその電話交換装置に関する。
【０００２】
【従来の技術】
ネットワークシステムは、例えば複数の支店や営業所を有する企業内において、各支店または営業所にそれぞれＰＢＸ（Ｐｒｉｖａｔｅ  Ｂｒａｎｃｈ  Ｅｘｃｈａｎｇｅ）またはボタン電話主装置といった電話交換装置を設置してこれらの電話交換装置間を専用線を介して接続したものである。この種のシステムでは、各電話交換装置ごとに内線間通信や公衆網等の局線発着信を行なえることは勿論のこと、異なる電話交換装置間での内線通信や異なる電話交換装置を経由した局線発着信を行なうことができる。
【０００３】
ところで、近年では、上記電話交換装置の高機能化に伴い、通話中に収容される内線端末の回線キーであるＤＳＳ（Ｄｉｒｅｃｔ  Ｓｔａｔｉｏｎ  Ｓｅｌｅｃｔｉｏｎ）キーを押下することで、関連付けられた他ノード（他の電話交換装置）の内線の状態を表示したり、その内線にダイレクト着信したり、着信転送を行うことができるサービスの実施も検討されている。この場合、自ノード内のＤＳＳ機能は、既に設けられている機能であり、これをネットワークを介して実現できるように拡張する（例えば特許文献１乃至特許文献３）。
【０００４】
しかしながら、上記システムでは、上記サービスを実行している間、専用線を占有することとなり、例えば音声信号の伝送等に影響を及ぼすことになる。この場合、専用線には、音声信号伝送用のＢチャネル及び制御信号伝送用のＤチャネルがあり、通常の呼の確立・解放で使用する呼制御信号以外に、内線端末の状態や登録情報を従来のメッセージに含ませたり、他のメッセージとして電話交換装置間でのやりとりが必要であった。
そこで、複数の電話交換装置間を専用線で接続するとともに、ＬＡＮ（Ｌｏｃａｌ  Ａｒｅａ  Ｎｅｔｗｏｒｋ）で接続し、専用線における音声信号等のリアルタイム性が要求される信号の伝送と、ＬＡＮにおける制御信号等のリアルタイム性に余裕がある信号の伝送とをそれぞれ独立して並列的に制御するようにした交換ネットワークシステムが提案されている。
【０００５】
【特許文献１】
特開２００２−１０１１９７号公報。
【０００６】
【特許文献２】
特開２００２−１５２２２４号公報。
【０００７】
【特許文献３】
特開２０００−１３８７１７号公報。
【０００８】
【発明が解決しようとする課題】
ところが、上記ネットワークシステムでは、ＤＳＳキーに対応する他ノードの内線端末の状態を自ノードで把握する必要があるため、他ノードへＬＡＮを介してアクセスする必要があり、その分ＬＡＮの負荷が高くなり、非効率となる。特に、システムの規模が大きくなればなるほど顕著となり非常に好ましくない。
【０００９】
そこで、この発明の目的は、内線端末の回線キーに対応する他ノードの内線の状態表示、他ノードの内線へのダイレクト着信、着信転送等の付加的なサービスを、信号伝送路の負荷を極力軽減して効率良く実現できるようにした交換ネットワークシステム及びその電話交換装置を提供することにある。
【００１０】
【課題を解決するための手段】
この発明は、上記目的を達成するために、以下のように構成される。
（１）終端に内線端末を接続できる少なくとも１つの内線を収容する２以上の電話交換装置と、複数の電話交換装置間を接続し、リアルタイム性が要求される第１の信号を伝送する第１の信号伝送路と、この第１の信号伝送路とは独立して複数の電話交換装置間を接続し、第１の信号に比べてリアルタイム性が要求されない第２の信号を伝送する第２の信号伝送路とを具備し、複数の電話交換装置の各々は、自装置に収容される全内線端末それぞれを指定する複数の操作キー及びこれら操作キーそれぞれに対応する内線端末の動作状態を示す第１の状態情報、及び他装置に収容される全内線端末それぞれを指定する操作キー及びこれら操作キーそれぞれに対応する内線端末の動作状態を示す第２の状態情報を記録媒体に記憶する記憶手段と、自装置に収容される全内線端末の動作状態変化を検出する状態変化検出手段と、この状態変化検出手段による検出結果に基づいて、記録媒体中の第１の状態情報の記憶内容を更新する第１の更新手段と、所定時間ごとに他の複数の電話交換装置に対し第２の状態情報の取得要求を第２の信号として第２の信号伝送路を介して送信する取得要求送出手段と、取得要求の送出に対し他の電話交換装置から前記第２の信号伝送路を介して送られた第２の状態情報を受信する受信手段と、この受信手段による受信結果に基づいて、記録媒体中の第２の状態情報の記憶内容を更新する第２の更新手段とを備えるようにしたものである。
【００１１】
（１）の発明によれば、所定時間ごとに自電話交換装置から他電話交換装置へ第２の信号伝送路を介して送信されるデータは第２の状態情報の取得要求のみとなり、また、他電話交換装置から第２の信号伝送路を介して送られた他電話交換装置の第２の状態情報に基づいて、記録媒体中の第２の状態情報の登録内容が更新される。従って、第２の信号伝送路を各電話交換装置で共用する場合に有効に利用でき、これにより第２の信号伝送路の負荷を軽減でき、しかも記録媒体に蓄積管理された第２の状態情報を用いて他の電話交換装置へアクセスすることなく、簡単な手順で他の電話交換装置の各内線端末の状態に応じた適切な付加サービス処理を行うことができ、その分電話交換装置の処理負荷を低く抑えることができる。
【００１２】
（２）取得要求送出手段は、各電話交換装置ごとに異なる送信タイミングで第１の状態情報を第２の信号として前記第２の信号伝送路を介して送信することを特徴とする。
（２）の発明によれば、電話交換装置ごとに送信タイミングを設定しておくことにより、異なる電話交換装置に係わる複数の第２の状態情報が同一時間帯に集中することがなくなり、これにより第２の信号伝送路の負荷及び電話交換装置の処理負荷をいっそう軽減できる。
【００１３】
（３）第２の信号伝送路を伝送する第２の信号は、ＵＤＰ（Ｕｓｅｒ  Ｄａｔａｇｒａｍ  Ｐｒｏｔｏｃｏｌ）で規定される信号であることを特徴とする。
（３）の発明によれば、例えばＴＣＰ／ＩＰのように、通信の信頼性を高めるための再送やフロー制御等の複雑な処理を行う必要がなく、これにより第２の信号伝送路の負荷及び電話交換装置の処理負荷を軽減できる。
【００１４】
【発明の実施の形態】
以下、この発明の実施形態について図面を参照して詳細に説明する。
図１は、この発明に係わる交換ネットワークシステムを示す概略構成図である。
このシステムは、同図に示すように、ボタン電話主装置ＢＴ１〜ＢＴ４を備え、これらボタン電話主装置ＢＴ１〜ＢＴ４相互間を通信チャネル（Ｂｃｈ）及び制御チャネル（Ｄｃｈ）を有するデジタル専用線ＰＮ（ＰＮ１−２，ＰＮ１−３，ＰＮ２−３，ＰＮ３−４）で接続している。これらボタン電話主装置ＢＴ１〜ＢＴ４は、それぞれ内線端末Ｔ１１〜Ｔ１ｉ，Ｔ２１〜Ｔ２ｍ，Ｔ３１，Ｔ４１〜Ｔ４ｋを内線を介して収容している。また、ボタン電話主装置ＢＴ１，ＢＴ４は公衆網ＮＷ１，ＮＷ２に局線Ｌを介して接続されている。
また、ボタン電話主装置ＢＴ１〜ＢＴ４は、ＬＡＮ（Ｌｏｃａｌ  Ａｒｅａ  Ｎｅｔｗｏｒｋ）１に接続されている。
【００１５】
次に、上記ボタン電話主装置ＢＴ１〜ＢＴ４の具体的構成について図２を参照して詳細に説明する。なお、ここでは、ボタン電話主装置ＢＴ１を代表して説明する。
ボタン電話主装置ＢＴ１は、局線インタフェースユニット１１と、内線インタフェースユニット１２と、デジタル専用線インタフェースユニット１３と、制御ユニット１４とを備え、これらは音声バス１５及び制御バス１６を介して相互に接続されている。
【００１６】
局線インタフェースユニット１１には、局線Ｌが必要に応じて接続される。局線インタフェースユニット１１は、接続された局線Ｌに関する局線インタフェース動作を行なう。局線インタフェース動作とは、公衆網ＮＷへの発信信号の送信や公衆網ＮＷからの着信信号の検出などである。また、局線インタフェースユニット１１は、上記局線インタフェース動作に係わる種々の制御情報の授受を、制御バス１６を介して制御ユニット１４との間で行なう。
【００１７】
内線インタフェースユニット１２には、複数の内線が必要に応じて接続される。内線インタフェースユニット１２は、接続された内線に関する内線インタフェース動作を行なう。内線インタフェース動作は、各内線への着信信号の送出や各内線からの発信信号の検出などである。また、内線インタフェースユニット１２は、上記内線インタフェース動作に係わる種々の制御情報の授受を、制御バス１６を介して制御ユニット１４との間で行なう。
【００１８】
デジタル専用線インタフェースユニット１３には、デジタル専用線ＰＮが必要に応じて接続される。デジタル専用線インタフェースユニット１３は、接続されたデジタル専用線ＰＮに関するデジタル専用線インタフェース動作を行なう。デジタル専用線インタフェース動作は、デジタル専用線ＰＮへの発信信号の送信やデジタル専用線ＰＮからの着信信号の検出などである。また、デジタル専用線インタフェースユニット１３は、上記デジタル専用線インタフェース動作に係わる種々の制御情報の授受を、制御バス１６を介して制御ユニット１４との間で行なう。
【００１９】
制御ユニット１４は、サブ制御部１４１と、主制御部１４２と、記憶部１４３と、タイムスイッチ１４４と、ＬＡＮインタフェース部（ＬＡＮ  Ｉ／Ｆ）１４５とを備える。このうち、サブ制御部１４１、主制御部１４２、記憶部１４３及びＬＡＮインタフェース部１４５はマイコンバス１４６を介して相互に接続されている。タイムスイッチ１４４は、主制御部１４２に直接接続されている。また、主制御部１４２には、タイマ１４７が接続されている。
【００２０】
サブ制御部１４１は、制御バス１６とマイコンバス１４６との間での制御情報の授受を行なう。主制御部１４２は、記憶部１４３に記憶された制御プログラム及び制御データに基づいて、ボタン電話主装置ＢＴ１内の全体の制御を実行する。記憶部１４３は、主制御部１４２が処理を実行するための制御プログラムや制御データを記憶するものであり、特に交換動作の際の各種データ等が記憶される。
【００２１】
タイムスイッチ１４４は、主制御部１４２の指示に従い、上記局線インタフェースユニット１１と、内線インタフェースユニット１２と、デジタル専用線インタフェースユニット１３との間で音声バス１５を介して伝送されるデジタル信号のチャネル交換を行なう。
ＬＡＮインタフェース部１４５は、マイコンバス１４６とＬＡＮ１との間の制御情報の授受に係わるインタフェース処理を行う。
【００２２】
ところで、この実施形態では、記憶部１４３に、ノード情報管理テーブル１４３１が設けられている。ノード情報管理テーブル１４３１には、図３に示すように、自装置に接続される内線端末Ｔ１１〜Ｔ１ｉの内線番号情報の他に、ボタン電話主装置ＢＴ２〜ＢＴ４にそれぞれ接続されるＴ２１〜Ｔ２ｍ，Ｔ３１，Ｔ４１〜Ｔ４ｋの内線番号と、内線端末Ｔ１１〜Ｔ１ｉ，Ｔ２１〜Ｔ２ｍ，Ｔ３１，Ｔ４１〜Ｔ４ｋの状態と、ＤＳＳキーの内線端末とキー情報群との対応関係を表すデータが格納されている。
【００２３】
また、主制御部１４２は、状態変化検出部１４２１と、ローカル情報更新部１４２２と、送信部１４２３と、受信部１４２４と、他ノード情報更新部１４２５とを備えている。状態変化検出部１４２１は、ボタン電話主装置ＢＴ１に収容される全内線端末Ｔ１１〜Ｔ１ｉの動作状態の変化を検出する。
【００２４】
ローカル情報更新部１４２２は、上記状態変化検出部１４２１による検出結果に基づいて、各内線端末Ｔ１１〜Ｔ１ｉの動作状態に変化があった場合に、ノード情報管理テーブル１４３１中の変化のあった内線端末Ｔ１１〜Ｔ１ｉに対応する状態情報を、「空き」から「通話中」に、または「通話中」から「空き」に更新する。「空き」から「呼出中」に、または「呼出中」から「空き」、さらには「呼出中」から「通話中」に更新する。
【００２５】
送信部１４２３は、タイマ１４７にセットされた時間間隔ごとに他のボタン電話主装置ＢＴ２〜ＢＴ４に対し内線端末Ｔ２１〜Ｔ２ｍ，Ｔ３１，Ｔ４１〜Ｔ４ｋそれぞれの状態を示すローカル情報の取得要求をＵＤＰプロトコルで規定されるＤＳＳＲパケットに変換し、このＤＳＳＲパケットをＬＡＮ１を介して送信する。
【００２６】
受信部１４２４は、取得要求に応じて他のボタン電話主装置ＢＴ２〜ＢＴ４からＬＡＮ１を介して送られたローカル情報、つまりＤＳＳＡパケット、ＤＳＳＮパケットを受信する。
他ノード情報更新部１４２５は、上記受信部１４２４により受信されたＤＳＳＡパケット及びＤＳＳＮパケットに基づいて、ノード情報管理テーブル１４３１中の内線端末Ｔ２１〜Ｔ２ｍ，Ｔ３１，Ｔ４１〜Ｔ４ｋそれぞれの状態情報の記憶内容を更新する。
【００２７】
次に、以上のように構成されたシステムの動作について説明する。
図４は、例えばボタン電話主装置ＢＴ１と、ボタン電話主装置ＢＴ２との間における情報の送受信動作を示すシーケンス図である。
タイマ１４７にセットされた時間が計時されると、ボタン電話主装置ＢＴ１は、ボタン電話主装置ＢＴ２の内線端末Ｔ２１〜Ｔ２ｍのリストを作成し、このリストをもとに、図５に示すようなＤＳＳキーを収容するボタン電話主装置（ノード）のノードＩＤと関連付けた内線端末のネットワークＤＮ（ノードＩＤを含む内線端末のＤＮ（内線電話番号））が含まれるＵＤＰフォーマットのＤＳＳＲパケットを作成する。なお、ノードＩＤ「１１」はボタン電話主装置ＢＴ１を表し、ノードＩＤ「１３」はボタン電話主装置ＢＴ３を表す。以後、ボタン電話主装置ＢＴ１は、ボタン電話主装置ＢＴ２に対しＬＡＮ１を介してＤＳＳＲパケットを送信する。
【００２８】
このＤＳＳＲパケットを受信したボタン電話主装置ＢＴ２は、図６に示す如く、ノード情報管理テーブル１４３１にネットワークＤＮと関連付ける内線端末、要求されたノードＩＤを設定する。
【００２９】
ボタン電話主装置ＢＴ２では、内線端末Ｔ２１〜Ｔ２ｍが呼処理を起動する毎に、図７に示す如く、ノード情報管理テーブル１４３１中に内線端末Ｔ２１〜Ｔ２ｍそれぞれの状態が記録されているので、内線端末Ｔ２１〜Ｔ２ｍとそれぞれの状態との対応関係を表すリストを作成し、このリストをもとに、図８に示すようなＤＳＳＡパケットを作成する。このＤＳＳＡパケットは、上記ＤＳＳＲパケットに対する応答パケットである。しかる後に、ボタン電話主装置ＢＴ１に対しＬＡＮ１を介してＤＳＳＡパケットを送信する。
【００３０】
ＤＳＳＡパケットを受信したボタン電話主装置ＢＴ１は、ノード情報管理テーブル１４３１に関連付けたネットワークＤＮ毎に内線状態を更新し、関連付けたＤＳＳキーのＬＥＤに内線状態を表示する。
【００３１】
また、ボタン電話主装置ＢＴ２では、ＤＳＳＡパケット以外の内線状態通知として関連付けられた内線端末Ｔ２１〜Ｔ２ｍが呼やサービスを展開する度にその内線端末Ｔ２１〜Ｔ２ｍの状態をノード情報管理テーブル１４３１に記録し、その変化がある度に図９に示す如くＤＳＳＮパケットを作成する。以後、ボタン電話主装置ＢＴ２は、ボタン電話主装置ＢＴ１に対しＬＡＮ１を介してＤＳＳＮパケットを送信する。
【００３２】
ＤＳＳＮパケットを受信したボタン電話主装置ＢＴ１は、ノード情報管理テーブル１４３１に関連付けたネットワークＤＮ毎に内線状態を更新し、関連付けたＤＳＳキーのＬＥＤに内線状態を表示する。
なお、上記処理において、ボタン電話主装置ＢＴ３に対してもボタン電話主装置ＢＴ２と異なる時刻に同様な処理手順が実行され、またボタン電話主装置ＢＴ４に対してもボタン電話主装置ＢＴ２，ＢＴ３と異なる時刻に同様な処理手順が実行される。
【００３３】
図１０は、ボタン電話主装置ＢＴ１の動作手順とその内容を示すフローチャートである。
ボタン電話主装置ＢＴ１の主制御部１４２は、各内線端末Ｔ１１〜Ｔ１ｉについての動作状態を監視し、状態変化があった場合に、ノード情報管理テーブル１４３１中の変化の生じた内線端末Ｔ１１〜Ｔ１ｉの状態情報の更新を行う。
【００３４】
続いて主制御部１４２は、タイマ１４７が他のボタン電話主装置ＢＴ２に対するローカル情報の取得要求時刻を計時すると、ノード情報管理テーブル１４３１中の他ノードに関する状態情報があるか否かの判断を行う（ステップＳＴ１０ａ）。ここで、他ノードに関する状態情報がなければ（Ｎｏ）、主制御部１４２は処理をそのまま終了し、他ノードに関する状態情報がある場合に（Ｙｅｓ）、状態情報の取得を要求すべく例えば内線端末Ｔ２１〜Ｔ２ｍのリストを作成し、このリストをもとにＤＳＳＲパケットを作成し（ステップＳＴ１０ｂ）、このＤＳＳＲパケットをボタン電話主装置ＢＴ２に向けて送信する（ステップＳＴ１０ｃ）。
【００３５】
続いて、主制御部１４２は、ボタン電話主装置ＢＴ２の他に、ノード情報管理テーブル１４３１中の他ノードに関する状態情報があるか否かの判断を行い（ステップＳＴ１０ｄ）、他ノードに関する状態情報がなくなるまで、上記ステップＳＴ１０ｂ乃至ステップＳＴ１０ｄの処理を繰り返し実行する。そして、他ノードに関する状態情報がなくなった時点で上記処理を終了する。
【００３６】
これに対し、ボタン電話主装置ＢＴ２は図１１に示す制御処理を開始する。
ボタン電話主装置ＢＴ２の主制御部１４２は、ＤＳＳＲパケットを受信すると、ノード情報管理テーブル１４３１を参照し、該当する内線端末Ｔ２１〜Ｔ２ｍそれぞれの現時点での状態情報を含むＤＳＳＡパケットを作成し、このＤＳＳＡパケットを要求元であるボタン電話主装置ＢＴ１に対しＬＡＮ１を介して送信する。
【００３７】
続いて、ボタン電話主装置ＢＴ２の主制御部１４２は、該当する内線端末Ｔ２１〜Ｔ２ｍについての動作状態を監視し（ステップＳＴ１１ａ）、状態変化があるか否かの判断を行う（ステップＳＴ１１ｂ）。そして、状態変化があった場合に（Ｙｅｓ）、主制御部１４２はノード情報管理テーブル１４３１中の変化の生じた内線端末Ｔ２１〜Ｔ２ｍの状態情報の更新を行う（ステップＳＴ１１ｃ）。
【００３８】
続いて主制御部１４２は、他ノード、つまり要求元となるボタン電話主装置ＢＴ１に対し内線Ｔ２１〜Ｔ２ｍの状態情報を通知する必要があるか否かの判断を行い（ステップＳＴ１１ｄ）、通知する必要がある場合に（Ｙｅｓ）、内線Ｔ２１〜Ｔ２ｍそれぞれの状態情報を含むＤＳＳＮパケットを作成し（ステップＳＴ１１ｅ）、このＤＳＳＮパケットを要求元であるボタン電話主装置ＢＴ１に対しＬＡＮ１を介して送信する（ステップＳＴ１１ｆ）。
【００３９】
これに対し、ボタン電話主装置ＢＴ１は図１２に示す制御処理を開始する。
ボタン電話主装置ＢＴ１の主制御部１４２は、ボタン電話主装置ＢＴ２からＤＳＳＡパケットを受信したか、もしくはＤＳＳＮパケットを受信したかの判断を行い（ステップＳＴ１２ａ）、ＤＳＳＡパケットを受信したと判断すると（Ｙｅｓ）、ＤＳＳＡパケットを受信し（ステップＳＴ１２ｂ）、このＤＳＳＡパケットに含まれる内線端末Ｔ２１〜Ｔ２ｍそれぞれの状態情報に基づき、ノード情報管理テーブル１４３１中の該当する内線端末Ｔ２１〜Ｔ２ｍそれぞれの状態情報を更新する（ステップＳＴ１２ｃ）。
【００４０】
一方、上記ステップＳＴ１２ａにおいてＤＳＳＮパケットを受信したと判断すると（Ｎｏ）、主制御部１４２はＤＳＳＮパケットを受信し（ステップＳＴ１２ｄ）、このＤＳＳＮパケットに含まれる内線端末Ｔ２１〜Ｔ２ｍそれぞれの状態情報に基づき、ノード情報管理テーブル１４３１中の該当する内線端末Ｔ２１〜Ｔ２ｍそれぞれの状態情報を更新する（ステップＳＴ１２ｅ）。
なお、ボタン電話主装置ＢＴ３，ＢＴ４についても、それぞれ異なるタイミングで上記処理手順と同様の手順が実行される。
【００４１】
かくして、ボタン電話主装置ＢＴ４の内線端末Ｔ４５（内線番号５０１）のユーザは、図１３に示す如く、内線端末Ｔ４２（内線番号２０２）に対応するＤＳＳキーのＬＥＤを見て内線端末Ｔ４２の動作状態を知ることができるとともに、内線端末Ｔ２１（内線番号２１２００）に対応するＤＳＳキーのＬＥＤを見て内線端末Ｔ２１の動作状態を知ることができる。
【００４２】
また、ボタン電話主装置ＢＴ４の内線端末Ｔ４６（内線番号５０２）のユーザは、内線端末Ｔ４２（内線番号２０２）に対応するＤＳＳキーのＬＥＤを見て内線端末Ｔ４２の動作状態を知ることができるとともに、ボタン電話主装置ＢＴ２の内線端末Ｔ２１（内線番号２１２００）に対応するＤＳＳキーのＬＥＤを見て内線端末Ｔ２１の動作状態を知ることができ、ボタン電話主装置ＢＴ１の内線端末Ｔ１１（内線番号１０２００）に対応するＤＳＳキーのＬＥＤを見て内線端末Ｔ１１の動作状態を知ることができる。
【００４３】
以上のように上記実施形態では、一定時間ごとにボタン電話主装置ＢＴ１からボタン電話主装置ＢＴ２へＬＡＮ１を介して送信されるデータは内線端末Ｔ２１〜Ｔ２ｍの状態情報の取得要求つまりＤＳＳＲパケットのみとなり、また、ボタン電話主装置ＢＴ１において、ボタン電話主装置ＢＴ２からＬＡＮ１を介して送られたＤＳＳＡパケット、ＤＳＳＮパケットに基づき、ノード情報管理テーブル１４３中の内線端末Ｔ２１〜Ｔ２ｍに該当する状態情報の登録内容が更新される。
【００４４】
従って、ＬＡＮ１を各ボタン電話主装置ＢＴ１〜ＢＴ４で共用する場合に有効に利用でき、これによりＬＡＮ１の負荷を軽減でき、しかもボタン電話主装置ＢＴ１において、ノード情報管理テーブル１４３に蓄積管理された各内線端末Ｔ２１〜Ｔ２ｍ，Ｔ３１，Ｔ４１〜Ｔ４ｋに関する状態情報を用いて他のボタン電話主装置ＢＴ２〜ＢＴ４へアクセスすることなく、簡単な手順で他のボタン電話主装置ＢＴ２〜ＢＴ４の各内線端末Ｔ２１〜Ｔ２ｍ，Ｔ３１，Ｔ４１〜Ｔ４ｋの状態に応じた適切な付加サービス処理を行うことができ、その分ボタン電話主装置ＢＴ１の処理負荷を低く抑えることができる。
【００４５】
また、上記実施形態によれば、ボタン電話主装置ＢＴ１〜ＢＴ４ごとにＤＳＳＲパケットの送信タイミングを設定しておくことにより、ボタン電話主装置ＢＴ１において、異なるボタン電話主装置ＢＴ２〜ＢＴ４に係わる複数のＤＳＳＡパケット，ＤＳＳＮパケットが同一時間帯に集中して到来することがなくなり、これによりＬＡＮ１の負荷及びボタン電話主装置ＢＴ１〜ＢＴ４の処理負荷をいっそう軽減できる。
【００４６】
さらに、上記実施形態によれば、ボタン電話主装置ＢＴ１〜ＢＴ４間のパケットの送受信をＵＤＰプロトコルに従って行うことにより、例えばＴＣＰ／ＩＰ（Ｔｒａｎｓｍｉｓｓｉｏｎ  Ｃｏｎｔｒｏｌ  Ｐｒｏｔｏｃｏｌ  ／Ｉｎｔｅｒｎｅｔ  Ｐｒｏｔｏｃｏｌ）のように、通信の信頼性を高めるための再送やフロー制御等の複雑な処理を行う必要がなく、これによりＬＡＮ１の負荷及びボタン電話主装置ＢＴ１〜ＢＴ４の処理負荷を軽減できる。
【００４７】
なお、この発明は、上記実施形態に限定されるものではない。上記実施形態では、ボタン電話主装置間をデジタル専用線及びＬＡＮで接続する例について説明した。しかし、これに限ることなく、ボタン電話主装置間をリアルタイム性が要求される信号を伝送するための伝送路と、リアルタイム性に余裕がある信号を伝送するための伝送路とにより接続するものであってもよい。
【００４８】
また、上記実施形態では、ボタン電話主装置間をデジタル専用線で接続したネットワークシステムを例に説明したが、これ以外にも例えばＩＰ電話システムにも同様に適用できる。
【００４９】
その他、システム構成や、ボタン電話主装置の種類やその構成、内線端末の種類、情報の送受信手順、各制御の制御手順とその内容等についてもこの発明の要旨を逸脱しない範囲で種々変形して実施できる。
【００５０】
【発明の効果】
以上詳述したようにこの発明によれば、内線端末の回線キーに対応する他ノードの内線の状態表示、他ノードの内線へのダイレクト着信、着信転送等の付加的なサービスを、信号伝送路の負荷を極力軽減して効率良く実現できるようにした交換ネットワークシステム及びその電話交換装置を提供することができる。
【図面の簡単な説明】
【図１】この発明の一実施形態に係わる交換ネットワークシステムを示す概略構成図。
【図２】図１に示したボタン電話主装置ＢＴ１〜ＢＴ４の具体的構成を示すブロック図。
【図３】図２に示したノード情報管理テーブルの記憶内容の一例を示す図。
【図４】同実施形態におけるボタン電話主装置間の情報の送受信動作を示すシーケンス図。
【図５】ＤＳＳＲパケットの構造図。
【図６】ノード情報管理テーブル中のネットワークＤＮに関連する内線端末、要求されたノードＩＤとの対応関係を表す図。
【図７】ノード情報管理テーブル中の内線端末の状態情報の一例を示す図。
【図８】ＤＳＳＡパケットの構造図。
【図９】ＤＳＳＮパケットの構造図。
【図１０】ＤＳＳＲパケットを送信する際のボタン電話主装置の動作手順とその内容を示すフローチャート。
【図１１】ＤＳＳＡパケット、ＤＳＳＮパケットを送信する際のボタン電話主装置の動作手順とその内容を示すフローチャート。
【図１２】ＤＳＳＡパケット、ＤＳＳＮパケットを受信した際のボタン電話主装置の動作手順とその内容を示すフローチャート。
【図１３】同実施形態における内線端末におけるＤＳＳキーと内線端末との対応関係を表すシーケンス図。
【符号の説明】
１…ＬＡＮ（Ｌｏｃａｌ  Ａｒｅａ  Ｎｅｔｗｏｒｋ）、１１…局線インタフェースユニット、１２…内線インタフェースユニット、１３…デジタル専用線インタフェースユニット、１４…制御ユニット、１５…音声バス、１６…制御バス、１４１…サブ制御部、１４２…主制御部、１４３…記憶部、１４４…タイムスイッチ、１４５…ＬＡＮインタフェース部、１４６…マイコンバス、１４７…タイマ、１４２１…状態変化検出部、１４２２…ローカル情報更新部、１４２３…送信部、１４２４…受信部、１４２５…他ノード情報更新部、１４３１…ノード情報管理テーブル、ＢＴ１〜ＢＴ４…ボタン電話主装置ＢＴ、ＰＮ…デジタル専用線、Ｔ１１〜Ｔ１ｉ，Ｔ２１〜Ｔ２ｍ，Ｔ３１，Ｔ４１〜Ｔ４ｋ…内線端末，Ｌ…局線、ＮＷ１，ＮＷ２…公衆網。
【図１】
2004274391.tif 000003
【図２】
2004274391.tif 000004
【図３】
2004274391.tif 000005
【図４】
2004274391.tif 000006
【図５】
2004274391.tif 000007
【図６】
2004274391.tif 000008
【図７】
2004274391.tif 000009
【図８】
2004274391.tif 000010
【図９】
2004274391.tif 000011
【図１０】
2004274391.tif 000012
【図１１】
2004274391.tif 000013
【図１２】
2004274391.tif 000014
【図１３】
2004274391.tif 000015